(57)【特許請求の範囲】
【請求項１】
所定のインタフェースを介して画像入力装置と画像処理装置とが通信可能な画像処理システムであって、
前記画像入力装置は、
前記画像入力装置で入力された画像データの内容を判断するための基準として画像モードを指定するための画像モード指定メニューを表示する第１の表示手段と、
前記画像処理装置から通知される情報に基づいて、前記画像モード指定メニューで指定された画像モードに応じて選択された画像処理項目を設定するための画像処理設定メニューを表示する第２の表示手段と、
を有し、
前記画像処理装置は、
前記画像入力装置から受信した前記画像データに画像処理を行う画像処理手段と、
前記画像モード指定メニューで指定された画像モードを前記画像入力装置から取得する取得手段と、
前記取得手段により取得される画像モードにおいて設定すべき画像処理項目を選択し、当該画像処理項目を設定するための前記画像処理設定メニューを前記画像入力装置に表示させる情報を前記画像入力装置に通知する通知手段と、
前記画像処理設定メニューにおいてなされた設定を取得して、前記画像処理手段に設定する設定手段と、
を有することを特徴とする画像処理システム。
【請求項２】
前記画像処理装置は、
前記設定手段により設定される設定に基づいて前記画像処理手段により画像処理された画像データを出力する出力手段を有することを特徴とする請求項１記載の画像処理システム。
【請求項３】
前記通知手段は、前記取得手段により取得される画像モードが第１の画像モードである場合、第１の画像処理項目を設定するための前記画像処理設定メニューを前記画像入力装置に表示させる情報を前記画像入力装置に通知し、前記取得手段により取得される画像モードが前記第１の画像モードとは異なる第２の画像モードである場合、前記第１の画像処理項目とは異なる第２の画像処理項目を設定するための前記画像処理設定メニューを前記画像入力装置に表示させる情報を前記画像入力装置に通知することを特徴とする請求項１記載の画像処理システム。
【請求項４】
前記第１の画像モードは写真画像モードであり、前記第２の画像モードは文字画像モードであることを特徴とする請求項３記載の画像処理システム。
【請求項５】
前記第１の画像処理項目はカラー処理関連の画像処理項目であり、前記第２の画像処理項目は濃度補正関連の画像処理項目であることを特徴とする請求項３または４に記載の画像処理システム。
【請求項６】
所定のインタフェースを介して画像入力装置と画像処理装置とが通信可能な画像処理システムにおけるデータ処理方法であって、
前記画像入力装置が、前記画像入力装置で入力された画像データの内容を判断するための基準として画像モードを指定するための画像モード指定メニューを表示する第１の表示ステップと、
前記画像処理装置が、前記画像モード指定メニューで指定された画像モードを前記画像入力装置から取得する取得ステップと、
前記画像処理装置が、前記取得ステップで取得される画像モードにおいて設定すべき画像処理項目を選択し、当該画像処理項目を設定するための画像処理設定メニューを前記画像入力装置に表示させる情報を前記画像入力装置に通知する通知ステップと、
前記画像入力装置が、前記画像処理装置から通知される情報に基づいて、前記画像モード指定メニューで指定された画像モードに応じて選択された画像処理項目を設定するための前記画像処理設定メニューを表示する第２の表示ステップと、
前記画像処理装置が、前記画像処理設定メニューにおいてなされた設定を取得して、前記画像入力装置から受信した前記画像データに画像処理を行う画像処理手段に設定する設定ステップと、を有することを特徴とするデータ処理方法。
【請求項７】
前記設定ステップにより設定される設定に基づいて前記画像処理手段により画像処理された画像データを出力する出力ステップを有することを特徴とする請求項６記載のデータ処理方法。
【請求項８】
前記通知ステップでは、前記取得ステップで取得される画像モードが第１の画像モードである場合、第１の画像処理項目を設定するための前記画像処理設定メニューを前記画像入力装置に表示させる情報を前記画像入力装置に通知し、前記取得ステップで取得される画像モードが前記第１の画像モードとは異なる第２の画像モードである場合、前記第１の画像処理項目とは異なる第２の画像処理項目を設定するための前記画像処理設定メニューを前記画像入力装置に表示させる情報を前記画像入力装置に通知することを特徴とする請求項６記載のデータ処理方法。
【請求項９】
前記第１の画像モードは写真画像モードであり、前記第２の画像モードは文字画像モードであることを特徴とする請求項８記載のデータ処理方法。
【請求項１０】
前記第１の画像処理項目はカラー処理関連の画像処理項目であり、前記第２の画像処理項目は濃度補正関連の画像処理項目であることを特徴とする請求項８または９に記載のデータ処理方法。
【請求項１１】
請求項６乃至１０のいずれか１項に記載のデータ処理方法をコンピュータに実行させるためのプログラムを格納したことを特徴とするコンピュータが読み取り可能な記憶媒体。
【請求項１２】
請求項６乃至１０のいずれか１項に記載のデータ処理方法をコンピュータに実行させることを特徴とするコンピュータが読み取り可能なプログラム。
【発明の詳細な説明】
【技術分野】
【０００１】
本発明は、所定のインタフェースを介して画像入力装置と画像処理装置とが通信可能な画像処理システムに関するものである。
【背景技術】
【０００２】
従来、画像入力装置で取り込んだ画像データを画像出力装置で印刷するプリントシステムの諸形態には、コピー機などのように画像入力装置であるスキャナ部と画像出力装置であるプリンタ部が直接接続されていて画像処理部（後者においてホストコンピュータに相当する）をスキャナ部またはプリント部が担うものと、画像入力装置と画像出力装置が互いに独立しており、入力画像データの出力装置に応じたプリントデータ化処理のために一旦汎用画像処理部に相当するホストコンピュータを介するものなどが存在する。
【０００３】
前者のシステムでは、入力部と出力部が同じ装置システムとして構築されており、内部の画像処理に応じて決められている画像フォーマットを予め統一する事が可能なため、入力部と出力部の間のデータ送受信は容易である。
【０００４】
一方、後者のシステムでは、画像入力装置と画像出力装置が独立しており、内部の画像処理は基本的に異なるため、装置間でデータの送受信を行う場合は、入力装置と出力装置の画像処理及びそれに起因する画像フォーマットの差異を考慮する必要がある。
【０００５】
前者のシステムでは入力部と出力部を共に備えた大掛かりなシステム構築が必要であるが、後者は入力部と出力部、及び変換部をそれぞれ汎用的な機器を用いて簡易にシステムを構築することが可能である。
【０００６】
一方、ダイレクト印刷において、画像入力装置と画像出力装置が独立に存在するプリントシステムでは、双方の内部で扱うデータフォーマットやデータ入出力部のI/Fが必ずしも統一されていないため、機器間の各種I/Fに広く対応され、且つデータフォーマット変換部を持たせ易いホストコンピュータを介する事で画像プリントシステムとして機能させる形態が一般的である。
【０００７】
しかし、近年画像入力装置または画像入力装置の内部データフォーマット及び機器間のI/Fを統一規格化することで、ホストコンピュータを介することなく直接接続によるデータの授受を実現するプリントシステムが考案されている。
【０００８】
例えば、デジタルスチルカメラ（以下、ＤＳＣ）で撮影した画像データをＪＰＥＧデータ化し、ＵＳＢインタフェースケーブルを用いてプリンタと直接接続し記憶されたＪＰＥＧデータをプリンタへ転送すると、プリンタ側でＪＰＥＧデータであることを認識して、所定の画像処理を行い印刷を実行する、という形態が下記特許文献１に記載されているように良く知られている。
【０００９】
また、外部画像入力装置を画像印刷装置に接続して行う画像の出力処理は、通常印刷処理であるが、画像印刷装置が持つ機能によっては印刷処理以外の動作をさせることも可能である。
【００１０】
例えば、画像印刷装置が画像データ格納用の記憶装置とその制御機能を持っている場合は、外部画像入力装置から画像印刷装置へ送信した画像データもその保存機能を利用することが可能である。
【００１１】
また、画像印刷装置が画像データを外部へ送信したりまた外部からデータを受信したりする機能を持つ場合は、同様にダイレクト接続における画像データも送受信機能を利用することが可能である。
【００１２】
これらの出力動作は全て画像印刷装置側の機能を利用して行うものであり、その制御は全て画像印刷装置が行う。
【特許文献１】特開２００４−９３８８号公報
【発明の開示】
【発明が解決しようとする課題】
【００１３】
上記のように構成される、例えばダイレクト印刷を前提としたプリントシステムにおいて、外部画像入力装置に対応するものは、ＤＳＣやカメラ付携帯電話であるが、これらの機器で撮影された画像は必ずしも写真用途とは限らず、スキャナ代わりに文字主体の被写体を撮影したり地図や図などを撮影したりした画像もある。
【００１４】
また、ダイレクト印刷は不特定の場所や画像印刷装置に対して行われることもあり、必ずしも出力機器側の機能を知った上で行うとは限らない。
【００１５】
前者においては、通常の印刷処理ではあくまでイメージ画像としてカテゴライズされるデータであるためそのままでは写真イメージ等に適した画像処理が選択・実行されてしまう。
【００１６】
例えば文字や図形主体の画像の場合、それらの特徴を考慮して最適な印刷環境を整えるためには画像印刷装置側の機能に対する知識が必要である。
【００１７】
さらに、印刷処理や従来技術で挙げた画像送受信、画像保存といった出力機器依存の機能を利用したい場合も、同様に画像印刷装置側の機能に対する知識が必要である。
【００１８】
したがって、多様な画像データを不特定でかつ多機能な出力機器群を対象にダイレクト印刷を実行可能なプリントシステムにおいては、上述したような出力機器側での制御を前提とする処理では、ダイレクトプリント要求時において、ユーザに多大な手間と負担を強いてしまうとともに、最終的な印刷結果を得るまでの処理が非効率的となってしまう等の課題があった。
【００１９】
本発明は、上記の課題を解決するためになされたもので、本発明の目的は、データ処理装置を介することなく、直接画像入力装置から画像処理装置へ画像データを送信する際に、画像データを解析することなく画像処理装置が必要な画像処理を適切に施すことをできるようにするとともに、画像入力装置から画像処理装置へ送信される画像データに対する画像処理装置におけるユーザの操作負担を軽減することである。
【課題を解決するための手段】
【００２２】
上記目的を達成する本発明の画像処理システムは以下に示す構成を備える。
所定のインタフェースを介して画像入力装置と画像処理装置とが通信可能な画像処理システムであって、前記画像入力装置は、前記画像入力装置で入力された画像データの内容を判断するための基準として画像モードを指定するための画像モード指定メニューを表示する第１の表示手段と、前記画像処理装置から通知される情報に基づいて、前記画像モード指定メニューで指定された画像モードに応じて選択された画像処理項目を設定するための画像処理設定メニューを表示する第２の表示手段と、を有し、前記画像処理装置は、前記画像入力装置から受信した前記画像データに画像処理を行う画像処理手段と、前記画像モード指定メニューで指定された画像モードを前記画像入力装置から取得する取得手段と、前記取得手段により取得される画像モードにおいて設定すべき画像処理項目を選択し、当該画像処理項目を設定するための前記画像処理設定メニューを前記画像入力装置に表示させる情報を前記画像入力装置に通知する通知手段と、前記画像処理設定メニューにおいてなされた設定を取得して、前記画像処理手段に設定する設定手段とを有することを特徴とする。
【発明の効果】
【００３１】
本発明に係る画像処理システムによれば、データ処理装置を介することなく、直接画像入力装置から画像処理装置へ画像データを送信する際に、画像データを解析することなく画像処理装置が必要な画像処理を適切に施すことをできるようにするとともに、画像入力装置から画像処理装置へ送信される画像データに対する画像処理装置におけるユーザの操作負担を軽減して、画像データの種別に適切な画像処理を行える。
【発明を実施するための最良の形態】
【００３４】
次に本発明を実施するための最良の形態について図面を参照して説明する。
【００３５】
＜システム構成の説明＞
〔第１実施形態〕
図１は、本発明の第１実施形態を示す画像処理システムに適用可能な画像印刷装置の構成を説明するブロック図である。
【００３６】
図１に示す画像印刷装置は、スキャナなどの画像入力部１００，ＵＩパネルなどの環境設定部１０１，ビデオコントローラなどの画像処理・制御部１０２、ＨＤなどの外部記憶装置１０３、ネットワークＩ／ＦボードやＦａｘなどの画像送受信部１０４、プリンタなどの画像出力部１０５から構成される。なお、上記はコピーやＦａｘ、プリンタなどが一体となる複合型画像出力装置を想定しているが、本発明の構成として全てを要求するものではない。
【００３７】
画像処理・制御部１０２は、入力部Ｉ／Ｆ１１０、設定部Ｉ／Ｆ１１１、出力部Ｉ／Ｆ１１２、送受信部Ｉ／Ｆ１１３、記憶部Ｉ／Ｆ１１４を備え、内部バスによって、画像処理・制御用プログラムＲＯＭ（プログラムＲＯＭ）１０６、データＲＯＭ１０７、ＣＰＵ１０８、内部記憶領域であるＲＡＭ１０９などに接続される。
【００３８】
入力画像データは、スキャナなどの画像入力部１００で画像をスキャンしたり、外部ホストコンピュータ、外部Ｆａｘやネットワーク経由で送られた画像データを画像送受信部１０４を介して受信したりすることにより画像処理・制御部１０２に取り込まれる。
【００３９】
画像処理・制御部１０２に取り込まれた画像データは、環境設定部１０１で設定された動作環境、または外部からの画像データに含まれる動作環境情報に従って処理され、処理後の画像データを目的とする動作に応じて、当該画像印刷装置で印刷する場合は、画像出力部１０５、外部ネットワークへ画像データを送信する場合は画像送受信部１０４、当該画像印刷装置内に保存する場合は内部記憶領域部１０３へそれぞれ渡される。
【００４０】
画像処理・制御部１０２における画像データ処理時は、必要に応じてデータＲＯＭ１０７の情報などを使用しながら設定部Ｉ／Ｆ１１１を経由して取得した処理動作環境に従って、プログラムＲＯＭ１０６からプログラムを読み出し、内部記憶領域としてのＲＡＭ１０９などを利用しながら処理を実行する。
【００４１】
図２は、本発明の第１実施形態を示す画像処理システムに適用可能な外部画像入力装置の構成を説明するブロック図であり、外部画像入力装置を画像出力装置に接続し、外部画像入力装置から画像データを画像印刷装置に渡して印刷、画像転送、保存などの動作を行うシステム例に対応する。本実施形態では、外部画像入力装置として画像撮影可能なデジタルカメラ等が好例となる。
【００４２】
図２において、外部画像入力装置２０の環境設定部２０１で画像データの画像印刷装置１０への転送を指定すると、この情報は設定部Ｉ／Ｆ２１１により画像処理・制御部２０２に渡され所定の処理が施された後、送受信部Ｉ／Ｆ２１３を介して送受信部２０４に渡り、上記接続手段により接続された画像印刷装置１０の画像送受信装置１０４に送られる。画像印刷装置１０側ではここで渡された転送指定を画像処理・制御部１０Ａの送受信部Ｉ／Ｆ１１３を介して取得し、対応する画像データの処理動作を決定する。
【００４３】
外部画像入力装置２０側では、画像印刷装置１０の送受信部１０４の準備が整うと、例えば撮像された画像データを保持する内部記憶領域部（ＲＡＭ）２０３から記憶部Ｉ／Ｆ２１４を経由し必要な処理を施した後、送受信部Ｉ／Ｆ２１３を介して画像送受信部２０４から画像印刷装置１０の送受信部１０４に画像データを転送する。
【００４４】
画像印刷装置１０側では先に指定された処理動作に従い、受信した画像データを画像処理・制御部１１０Ａの出力部Ｉ／Ｆ１１２、送受信部Ｉ／Ｆ１１３、または記憶部Ｉ／Ｆ１１４を介してそれぞれの処理部へ画像データを渡す。
【００４５】
この画像データを画像処理・制御部１０Ａで処理を施した後、再び送受信部１０４を通じて外部画像入力装置２０の送受信部２０４へ転送する。画像データを受信した送受信部２０４では、データを送受信部Ｉ／Ｆ２１３を経由して画像処理・制御部２０２内に取得し、さらに記憶部Ｉ／Ｆ２１４を介してＲＡＭ２０３に画像データを格納する。なお、画像転送指示を行うＵＩは画像出力装置側の設定部１０１でも良い。
【００４６】
本実施形態においては、前述したように自身が画像入力部と出力部を共に備える画像印刷装置としてＭＦＰ、コピー機などを例とするが、画像入力部としてデータ送受信部のみを備えるプリンタや、また画像出力部として印刷機能を持たないデジタルカメラや携帯電話などここで想定している外部画像入力装置を画像印刷装置に位置させてもよい。
【００４７】
この場合、画像印刷装置１０としての動作は画像表示または送受信機能のみに限定される。また、画像印刷装置と外部画像入力装置の接続形態はＵＳＢ接続などを用いた１対１でも良いし、有線または無線のネットワークを介した１対多の接続形態でも良い。
【００４８】
図３は、本発明に係る画像処理システムにおける第１のデータ処理手順の一例を示すフローチャートであり、外部画像入力装置から画像処理モードを指定して画像印刷装置へデータを送信する処理手順に対応する。なお、Ｓ１０１〜Ｓ１１０は各ステップを示す。各ステップは、ＣＰＵ１０８がプログラムＲＯＭ１０６、データＲＯＭ１０７、外部記憶領域部１０３等に記憶される制御プログラム、各種データを参照して実行することで実現される。
【００４９】
先ず、ステップＳ１０１で、外部画像入力装置２０で撮影した画像の内容を判断するための基準として、いずれの画像モードで、画像出力部１０５から画像データの出力処理を行うかを指定する”画像モードメニュー１”を、画像印刷装置１０上の環境設定部１０１または外部画像入力装置２０上の環境設定部２０１上に表示する。
【００５０】
そして、ステップＳ１０２で、環境設定部２０１上に表示されたメニュー中から画像モードが選択されたか否かを判断し、選択されないと判断した場合は、そのまま本処理を終了する。
【００５１】
一方、ステップＳ１０２で、ＣＰＵ１０８が画像モードが選択されたと判断した場合は、ステップＳ１０３で、指定の画像モードを設定部Ｉ／Ｆ１１１または設定部Ｉ／Ｆ２１１から取得し、画像印刷装置１０内の画像処理・制御部１０２においてモード判定を行う。
【００５２】
そして、ステップＳ１０４で、画像モードとして”写真画像”が指定されているかどうかをＣＰＵ１０８が判断して、”写真画像”が指定されていると判断した場合、ステップＳ１０５で、設定部Ｉ／Ｆ１１１を介して”写真画像モード”であることを通知し、ステップＳ１０９の画像処理機能設定処理に移行する。
【００５３】
一方、ステップＳ１０４で、”写真画像”でないと判断した場合は、ステップＳ１０６で”文字画像”か否かの判断をＣＰＵ１０８が行い、”文字画像”を指定していると判断した場合は、ステップＳ１０７で、設定部Ｉ／Ｆ１１１を介して”文字画像モード”であることを通知し、ステップＳ１０９の画像処理機能設定に移行する。
【００５４】
一方、ステップＳ１０６で、”文字画像”でないとＣＰＵ１０８が判断した場合は、ステップＳ１０８で”一般画像”と認識して、ステップＳ１０９へ移行する。この場合はデフォルトの処理動作に従う。
【００５５】
そして、ステップＳ１０９で、詳細は後述する画像処理機能設定を行い、該設定の処理を終了後、ステップＳ１１０で、画像出力部１０５から画像データの出力処理を実行して、本処理を終了する。
【００５６】
図４は、本発明に係る画像処理システムにおける第２のデータ処理手順の一例を示すフローチャートであり、図３に示したステップＳ１０９の画像処理機能設定処理の詳細手順に対応する。なお、Ｓ２０１〜Ｓ２１４は各ステップを示す。各ステップは、ＣＰＵ１０８がプログラムＲＯＭ１０６、データＲＯＭ１０７、内部記憶領域部１０３等に記憶される制御プログラム、各種データを参照して実行することで実現される。
【００５７】
先ず、ステップＳ２０１で、図３に示した処理により指定された指定モードが”写真画像モード”か否かの判断をＣＰＵ１０８が行い、”写真画像モード”であると判断した場合は、ステップＳ２０２からステップＳ２０５で写真画像に最適な出力環境設定を行うため、ステップＳ２０２で、色処理モードを”カラーモード”に移行し、ステップＳ２０３で、画像印刷装置１０が持つ画像処理機能を「高画質」を基準とする最高画質モードを選択するとともに、該最高画質モードに対する環境設定を環境設定部１０１を操作して実行する。
【００５８】
さらに、ステップＳ２０４で、カラー処理関連の環境設定項目を選択し、ステップＳ２０５で、選択した項目についてカラー調整機能用設定メニューを外部画像入力装置２０へ送受信部１０４、送受信部２０４を介して通知して、ステップＳ２１２へ進む。
【００５９】
これにより、通知された情報に基づいて、外部画像入力装置２０上の環境設定部２０１に画像処理関連の設定可能項目として表示する。
【００６０】
一方、ステップＳ２０１で”写真画像モード”でないと判断された場合は、ステップＳ２０６で”文字画像モード”か否かをＣＰＵ１０８が判断し、”文字画像モード”であると判断した場合は、ステップＳ２０７からステップＳ２１０で文字画像に最適な出力環境設定を行うため、ステップＳ２０７で色処理モードを”モノクロモード”とし、ステップＳ２０８で画像印刷装置が持つ画像処理機能を「２値画像」を基準にモード選択／環境設定を実行する。さらに、ステップＳ２０９で、濃度補正関連の環境設定項目を選択し、ステップＳ２１０で前記選択した濃度補正機能用設定メニューを、外部画像入力装置２０へ送受信部１０４、送受信部２０４を介して通知して、ステップＳ２１２へ進む。
【００６１】
これにより、ステップＳ２１２で、ステップＳ２１０で通知された情報に基づいて、外部画像入力装置２０上の環境設定部２０１に画像処理関連の設定可能項目を表示する。
【００６２】
一方、ステップＳ２０６で、”文字画像モード”ではないとＣＰＵ１０８が判断した場合は、ステップＳ２１１で”自動モード”に移行し、基本的にデフォルト設定で動作するものとする。
【００６３】
このようにして、いずれの場合も画像モードに応じ画像印刷装置１０により選択された環境設定メニューが外部画像入力装置２０上の環境設定部２０１に表示可能となる。
【００６４】
次に、ステップＳ２１３で、画像印刷装置１０より通知された各メニューにより設定が、外部画像入力装置２０上の環境設定部２０１で選択されたか否かをＣＰＵ１０８が判断し、何らかの設定が行われたと判断した場合は、ステップＳ２１４で、選択モードに対応する動作設定を行い、図３に示したステップＳ１１０へ進む。
【００６５】
一方、ステップＳ２１３で、何らかの設定が行われていないと判断した場合は、何もせず図３に示した、ステップＳ１１０へ移行する。
【００６６】
これにより、データ処理装置を介することなく、直接画像入力装置と画像処理装置とを接続した場合に、該画像入力装置に記憶されている画像データに対する画像モードの設定操作負担を大幅に軽減して、効率よく画像データに対する画像モードを設定して画像出力することができる。
【００６７】
〔第２実施形態〕
以下、外部画像入力装置２０から出力動作モードを指定して画像印刷装置１０へデータを送信する例について説明する。
【００６８】
図５は、本発明に係る画像処理システムにおける第３のデータ処理手順の一例を示すフローチャートであり、図２に示した画像印刷装置１０による画像処理モードに対する環境設定処理手順に対応する。なお、Ｓ３０１〜Ｓ３１０は各ステップを示す。各ステップは、ＣＰＵ１０８がプログラムＲＯＭ１０６、データＲＯＭ１０７、内部記憶領域部１０３等に記憶される制御プログラム、各種データを参照して実行することで実現される。
【００６９】
先ず、ステップＳ３０１で、外部画像入力装置２０で撮影した画像に対しどのような出力を行うかの判断基準として、いずれの画像出力モードで出力処理を行うかを指定する”画像モードメニュー２”を、画像印刷装置１０上の環境設定部１０１または外部画像入力装置２０上の環境設定部２０１上に表示する。
【００７０】
そして、ステップＳ３０２で、上記画像モードメニュー２が選択されたか否かを判断し、選択されていないと判断した場合は、本処理を終了する。
【００７１】
一方、ステップＳ３０２で、上記画像モードメニュー２が選択されたと判断した場合は、ステップＳ３０３で指定のモードを設定部Ｉ／Ｆ１１１または設定部Ｉ／Ｆ２１１から取得し、画像印刷装置内の画像処理・制御部１０２においてモード判定を行う。
【００７２】
そして、ステップＳ３０４で”印刷処理”が指定されているかどうかを判断して、”印刷処理”が指定されていると判断した場合は、ステップＳ３０５で、出力部Ｉ／Ｆ１１２を介して”写真画像モード”であることを通知し、ステップＳ３０９の画像処理機能設定処理に移行する。
【００７３】
一方、ステップＳ３０４で、”印刷処理”でないと判断した場合は、ステップＳ３０６で”送受信処理”か否かの判断を行い、”送受信”指定と判断した場合、ステップＳ３０７で、送受信部Ｉ／Ｆ１１３を介して”送受信処理”であることを通知し、ステップＳ３０９の画像処理機能設定処理に移行する。
【００７４】
一方、ステップＳ３０６で、”送受信処理”でないと判断した場合は、ステップＳ３０８で”保存処理”と認識して記憶部Ｉ／Ｆ１１４を介して”保存処理”であることを通知し、ステップＳ３０９へ移行する。
【００７５】
そして、いずれもステップＳ３０９で画像処理機能設定処理終了後、ステップＳ３１０で、画像データの出力処理を実行して、本処理を終了する。
【００７６】
図６は、本発明に係る画像処理システムにおける第４のデータ処理手順の一例を示すフローチャートであり、図５に示したステップＳ３０９の画像処理機能設定処理の詳細手順に対応する。なお、Ｓ４０１〜Ｓ４１４は各ステップを示す。
【００７７】
先ず、ステップＳ４０１で、指定した処理モードが”印刷処理モード”か否かの判断を行い、”印刷処理モード”であると判断した場合は、ステップＳ４０２〜Ｓ４０５で印刷処理に必要な出力環境設定を行ため、ステップＳ４０２で出力モードを”ＰＲＩＮＴモード”とし、ステップＳ４０３で、画像印刷装置が持つ印刷機能メニューを外部画像入力装置２０上の環境設定部２０１へ双方の送受信部Ｉ／Ｆ１１３、送受信部Ｉ／Ｆ２１３を介して通知し、環境設定部２０１上に表示する。
【００７８】
さらに、ステップＳ４０４で、印刷環境設定項目を選択して、ステップＳ４０５で、選択された印刷環境設定項目に基づいて画像印刷装置１０の印刷環境設定を設定して、該設定された印刷環境を外部画像入力装置２０へ送受信部１０４／２０４を介して通知したら、図５に示したステップＳ３１０へ移行する。
【００７９】
これにより、通知された印刷設定環境に基づいて、外部画像入力装置２０上の環境設定部２０１に画像処理関連の設定可能項目として表示する。
【００８０】
一方、ステップＳ４０１で、処理モードが”印刷処理モード”でないと判断した場合、ステップＳ４０６で、処理モードが”送受信モード”か否かをＣＰＵ１０８が判断して、”送受信モード”であると判断した場合は、ステップＳ４０７〜Ｓ４１０で送受信処理に必要な出力環境設定を行うため、ステップＳ４０７で出力モードを”ＳＥＮＤ／ＦＡＸモード”とし、ステップＳ４０８で画像印刷装置が持つ送受信機能メニューを外部画像入力装置２０上の環境設定部２０１へ双方の送受信部Ｉ／Ｆ１１３、送受信部Ｉ／Ｆ２１３を介して通知し、外部画像入力装置２０上の環境設定部２０１上に表示する。
【００８１】
さらに、ステップＳ４０９で、環境設定項目を選択して、ステップＳ４１０で、該選択された送受信環境設定項目に基づいて画像印刷装置１０の送受信環境を設定して、該設定された送受信環境を外部画像入力装置２０へ送受信部１０４／２０４を介して通知したら、図５に示したステップＳ３１０へ移行する。
【００８２】
これにより、通知された送受信環境に基づいて、外部画像入力装置２０上の環境設定部２０１に画像処理関連の設定可能項目として表示する。
【００８３】
一方、ステップＳ４０６で、処理モードが送受信処理モード”でないと判断した場合、ステップＳ４１１で処理モードが”保存モード”と判断する。そして、処理モードが”保存モード”の場合は、ステップＳ４１１〜Ｓ４１４で保存処理に必要な出力環境設定を行ため、ステップＳ４１１で、出力モードを”ＢＯＸモード”とし、ステップＳ４１２で、画像印刷装置１０が持つ保存機能メニューを外部画像入力装置２０上の環境設定部２０１へ双方の送受信部Ｉ／Ｆ１１３、送受信部Ｉ／Ｆ２１３を介して通知し、外部画像入力装置２０上の環境設定部２０１上に表示する。
【００８４】
さらに、ステップＳ４１３で、保存環境設定項目を選択して、ステップＳ４１４で、該選択された保存環境設定項目に基づいて画像印刷装置１０の送受信環境を設定して、該設定された送受信環境を外部画像入力装置２０へ送受信部１０４／２０４を介して通知したら、図５に示したステップＳ３１０へ移行する。
【００８５】
これにより、通知された保存環境に基づいて、外部画像入力装置２０上の環境設定部２０１に画像処理関連の設定可能項目として表示する。
【００８６】
このように、いずれの処理モードが選択された場合でも、該選択された処理モードに応じ画像印刷装置１０により選択された環境設定メニューが外部画像入力装置２０上の環境設定部２０１に表示される。
【００８７】
本実施形態によれば、ユーザが選択した出力モードに従って画像印刷装置１０の持つ機能を選択的に取り出し、自動で環境設定を行うと共にユーザに対しても必要かつ可能な設定項目のみを通知することが可能となる。
【００８８】
〔第３実施形態〕
以下、図７に示すメモリマップを参照して本発明に係る画像処理装置で読み取り可能なデータ処理プログラムの構成について説明する。
【００８９】
図７は、本発明に係る画像処理装置で読み取り可能な各種データ処理プログラムを格納する記憶媒体のメモリマップを説明する図である。
【００９０】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００９１】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００９２】
本実施形態における図３〜図６に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００９３】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００９４】
この場合、記憶媒体から読み出されたプログラムコード自体が本発明の新規な機能を実現することになり、そのプログラムコードを記憶した記憶媒体は本発明を構成することになる。
【００９５】
従って、プログラムの機能を有していれば、オブジェクトコード、インタプリタにより実行されるプログラム、ＯＳに供給するスクリプトデータ等、プログラムの形態を問わない。
【００９６】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【００９７】
この場合、記憶媒体から読出されたプログラムコード自体が前述した実施形態の機能を実現することになり、そのプログラムコードを記憶した記憶媒体は本発明を構成することになる。
【００９８】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【００９９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１００】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１０１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０２】
本発明は上記実施形態に限定されるものではなく、本発明の趣旨に基づき種々の変形（各実施形態の有機的な組合せを含む）が可能であり、それらを本発明の範囲から排除するものではない。
【図面の簡単な説明】
【０１４０】
【図１】本発明の第１実施形態を示す画像処理システムに適用可能な画像印刷装置の構成を説明するブロック図である。
【図２】本発明の第１実施形態を示す画像処理システムに適用可能な外部画像入力装置の構成を説明するブロック図である。
【図３】本発明に係る画像処理システムにおける第１のデータ処理手順の一例を示すフローチャートである。
【図４】本発明に係る画像処理システムにおける第２のデータ処理手順の一例を示すフローチャートである。
【図５】本発明に係る画像処理システムにおける第３のデータ処理手順の一例を示すフローチャートである。
【図６】本発明に係る画像処理システムにおける第４のデータ処理手順の一例を示すフローチャートである。
【図７】本発明に係る画像処理装置で読み取り可能な各種データ処理プログラムを格納する記憶媒体のメモリマップを説明する図である。
【符号の説明】
【０１４１】
１０  画像印刷装置
１０１，２０１  環境設定部
１０２，２０２  画像処理・制御部
１０３，２０３  内部記憶領域部
１０４，２０４  画像送受信部
１０５，２０５  画像表示部
１０６，２０６  プログラムＲＯＭ
１０７，２０７  データＲＯＭ
１０８，２０８  ＣＰＵ
１０９，２０９  ＲＡＭ
【図１】
0004468141.tif 000002
【図２】
0004468141.tif 000003
【図３】
0004468141.tif 000004
【図４】
0004468141.tif 000005
【図５】
0004468141.tif 000006
【図６】
0004468141.tif 000007
【図７】
0004468141.tif 000008